(57)【要約】【課題】  部品点数が少なく、設置される現場で簡単に組み立てることができる幼齢木保護具を提供する。【解決手段】  地面６に植生された幼齢木４に装着される幼齢木保護具１であって、幼齢木４を覆う筒状の覆い部２と、覆い部２から内方に突出して覆い部２の長手方向に沿って延びる、支柱５が挿通可能な筒状の挿通部３と、を含むことを特徴とする。【選択図】      図１
2019208487.tif 000002
【特許請求の範囲】
【請求項１】
地面に植生された幼齢木に装着される幼齢木保護具であって、
前記幼齢木を覆う筒状の覆い部と、
前記覆い部から内方に突出して前記覆い部の長手方向に沿って延びる、棒状部材が挿通可能な筒状の挿通部と、を含む幼齢木保護具。
【請求項２】
前記覆い部および前記挿通部は、樹脂から成ることを特徴とする請求項１に記載の幼齢木保護具。
【請求項３】
前記樹脂は、生分解性繊維を含むことを特徴とする請求項２に記載の幼齢木保護具。
【請求項４】
前記覆い部の下端部を地面に固定する固定部材をさらに含んでいることを特徴とする請求項１〜３のいずれか１項に記載の幼齢木保護具。
【発明の詳細な説明】
【技術分野】
【０００１】
本発明は、地面に植生された幼齢木を害獣などの食害に遭わないように保護する幼齢木保護具の技術に関する。
【背景技術】
【０００２】
特許文献１に記載の苗木等保護具は、樹木の苗木などが、野生動物に食されることを防止するために、苗木などを覆う保護ネットと、保護ネットの内側に配設される、支持材と、第１リングと、第２リングとを含んでいる。支持材は、保護ネットの周壁に螺旋状に配設される長尺材である。第１リングは、円形のリング状部材であり、支持材の一端部に配設され、第２リングは、円形のリング状部材であり、支持材の他端部に配設される。支持材と、第１リングと、第２リングとによって、保護ネットは、起立した円筒状または円錐台状に保持される。保護ネットの周壁の外面側には、支柱が地面に打ち込まれており、支持材と、第１リングと、第２リングとが、複数個所で支柱に掛け止められている。苗木等保護具は、保護ネットが積雪の重みで変形して、苗木が損傷することを防止するために、支持材と、第１リングと、第２リングとが組み込まれた高い強度を備えた構造とされている。さらに苗木等保護具は、作業現場で組み立て可能な構成とされている。
【先行技術文献】
【特許文献】
【０００３】
【特許文献１】特開２０１４−１６１３０２号公報
【発明の概要】
【発明が解決しようとする課題】
【０００４】
特許文献１に記載の苗木等保護具では、保護ネットを、起立した円筒状または円錐台状に保持する支持材、第１リングおよび第２リングが、複数個所で留め具によって支柱に掛け留められるので、苗木等保護具が設置される現場での組立作業に手間を要するという問題がある。また、苗木等保護具は、保護ネット、支持材、第１リング、第２リング、支柱、複数の留め具によって構成され、部品点数が多いという問題がある。
【０００５】
本発明の目的は、部品点数が少なく、設置される現場で簡単に組み立てることができる幼齢木保護具を提供することである。
【課題を解決するための手段】
【０００６】
本発明は、地面に植生された幼齢木に装着される幼齢木保護具であって、
前記幼齢木を覆う筒状の覆い部と、
前記覆い部から内方に突出して前記覆い部の長手方向に沿って延びる、棒状部材が挿通可能な筒状の挿通部と、を含む幼齢木保護具である。
【０００７】
また本発明は、前記覆い部および前記挿通部が、樹脂から成ることを特徴とする。
【０００８】
また本発明は、前記樹脂が、生分解性繊維を含むことを特徴とする。
【０００９】
また本発明は、前記覆い部の下端部を地面に固定する固定部材をさらに含んでいることを特徴とする。
【発明の効果】
【００１０】
本発明によれば、覆い部が地面に植生された幼齢木を覆った状態で、棒状部材を挿通部に挿通し、該棒状部材の下端を地面に打ち込むだけで、地面に植生された幼齢木に幼齢木保護具を装着することができる。
【００１１】
また本発明によれば、挿通部は、覆い部から内方に突出して覆い部の長手方向に沿って延びるので、棒状部材を挿通部に挿通することによって、挿通部と覆い部とが、棒状部材によって筒状に保持される。これによって、前記従来技術のように、複数の留め具によって、保護ネットを支柱に掛け留める必要がなくなり、幼齢木保護具の部品点数を削減し、現場での組み立てを容易化することができる。
【００１２】
また本発明によれば、前記覆い部および前記挿通部は、樹脂から成るので、覆い部と挿通部とを同一材料によって同時に1つの部材によって製造することが可能となり、幼齢木保護具を容易に高い生産効率で製造することができる。
【００１３】
また本発明によれば、樹脂は生分解性繊維を含むので、幼齢木保護具は、一定期間経過後、土壌の微生物によって、完全に分解され、炭酸ガス、メタン、水、バイオマスなどの自然的副産物に変化し、環境汚染を防止することができる。
【００１４】
また本発明によれば、覆い部の下端部は、固定部材によって地面に固定されているので、幼齢木保護具が風に煽られて、棒状部材から抜け出ることを防止することができる。さらに、害獣が覆い部の下端部を捲り上げ、幼齢木保護具を損壊することを防止することができる。
【図面の簡単な説明】
【００１５】
【図１】本発明の第１実施形態に係る幼齢木保護具１を幼齢木４に装着した状態を示す斜視図である。
【図２】図１に示す幼齢木保護具１を切断面線ＩＩ−ＩＩから見た断面図である。
【図３】合成繊維の織物１１の組織構造を模式的に示す図である。
【図４】図３に示す模式図の拡大図である。
【図５】第２実施形態に係る幼齢木保護具２１を幼齢木４に装着した状態を示す斜視図である。
【図６】図５に示す幼齢木保護具２１を切断面線ＶＩ−ＶＩから見た断面図である。
【図７】第３実施形態に係る幼齢木保護具３１を幼齢木４に装着した状態を示す斜視図である。
【発明を実施するための形態】
【００１６】
図１は、本発明の第１実施形態に係る幼齢木保護具１を幼齢木４に装着した状態を示す斜視図である。図２は、図１に示す幼齢木保護具１を切断面線ＩＩ−ＩＩから見た断面図である。図３は、合成繊維の織物１１の組織構造を模式的に表した図である。図４は、図３に示す模式図の拡大図である。
【００１７】
幼齢木保護具１は、たとえば合成繊維の織物１１から成り、筒状の覆い部２と、覆い部２から内方に突出して覆い部２の長手方向に沿って延びる筒状の挿通部３とを含む。幼齢木保護具１は、覆い部２が、地面６に植生された幼齢木４を覆った状態で、挿通部３に挿通された支柱５が地面６に打ち込まれて、幼齢木４に装着される。幼齢木保護具１に用いられる合成繊維として、たとえば、ポリ乳酸繊維である東レ株式会社製の商品名「エコディア」（登録商標）が使用される。
【００１８】
幼齢木保護具１は、たとえば覆い部２である第１筒状部１３と、挿通部３である第２筒状部１６とが二重織（筒織）された合成繊維の織物１１の第１筒状部１３が表裏反転されて、挿通部３が覆い部２から内方に突出して、覆い部２の長手方向に沿って延びた状態で使用される。
【００１９】
織物１１の組織構造を示す図３および図４において、経糸１７を○印で表し、緯糸１８を実線で表している。経糸１７は幼齢木保護具１の長さ方向に延びており、緯糸１８は経糸１７と垂直な幼齢木保護具１の幅方向に延びている。
【００２０】
図３に示すように、合成繊維の織物１１は、第１筒状部１３と、第１筒状部１３の一方側に、一重織によって製織される第１耳部１４と、第１筒状部１３の他方側に一重織によって製織される第２耳部１５と、を有しており、第２筒状部１６は、第１耳部１４の中間部に製織される。
【００２１】
第１筒状部１３は、第１耳部１４と第２耳部１５とに渡っている経糸１７と緯糸１８とを、第１耳部１４と第２耳部１５との間でそれぞれ２分した２組の経糸１７および緯糸１８によって製織される。第２筒状部１６は、第１耳部１４の経糸１７と緯糸１８とを、第１耳部１４の中間部でそれぞれ２分した２組の経糸１７および緯糸１８によって製織される。
【００２２】
図４は、第２筒状部１６と、第２筒状部１６に連なる第１耳部１４との織物の組織構造を模式的に表した拡大図である。緯糸１８が符号１に示す方向に送られ、さらに緯糸１８が符号１に示す方向とは逆方向の符号２に示す方向に送られて、第２筒状部１６の一方を構成する織物が構成される。緯糸１８が符号３に示す方向（符号１に示す方向）に送られ、さらに緯糸１８が符号３に示す方向とは逆方向の符号４に示す方向（符号２に示す方向）に送られて、第２筒状部１６の他方を構成する織物が構成される。このように、第１筒状部１３と第２筒状部１６とは、重なった２枚の織物の両端が接結された形状に製織される。
【００２３】
第１筒状部１３を表裏反転して形成された幼齢木保護具１の覆い部２の直径×長さは、たとえば２７ｃｍ×１７０ｃｍである。覆い部２の直径が２７ｃｍであれば、該直径方向の幅寸法が概ね３０ｃｍ以下の幼齢木４に幼齢木４の成長を妨げることなく装着することができる。なお、覆い部２は、円筒状に装着されるものに限定されない。たとえば、幼齢木４の枝の向きに沿った、断面が楕円形の筒状に装着されるものでも良い。
【００２４】
覆い部２を構成する第１筒状部１３と挿通部３を構成する第２筒状部１６とは、たとえば、１インチあたり２２本の経糸１７と、１インチあたり２２本の緯糸１８とで構成され、あるいは、１インチあたり２４本の経糸１７と、１インチあたり２４本の緯糸１８とで構成される。経糸１７および緯糸１８は、たとえば３８０デニールのものが使用される。
【００２５】
第１筒状部１３および第２筒状部１６の経糸１７および緯糸１８の間隔および太さをこのように選定することによって、覆い部２の通気性を適度に確保することができ、覆い部２の内側に空気が滞って、覆い部２で囲まれた幼齢木４に悪影響を与えることを抑制することができる。また、幼齢木４の葉先が覆い部２を製織する経糸１７と緯糸１８と隙間から覆い部２の外側に突出して、幼齢木４が害獣の食害に晒されることを防止することができる。
【００２６】
幼齢木保護具１は、覆い部２を実現するための第１筒状部１３の一方側に、一重織によって第１筒状部１３の長さ方向に製織される第１耳部１４を有し、第１筒状部１３の他方側に、一重織によって第１筒状部１３の長さ方向に製織される第２耳部１５を有し、第１耳部１４の中間部に、挿通部３を実現するための第２筒状部１６が、第１筒状部１３と平行に製織されている。第１筒状部１３の両側は、一重織された、第１耳部１４と第２耳部１５とによって、第１筒状部１３の長手方向に補強されており、第２筒状部１６の両側は、一重織された、第１耳部１４によって、第２筒状部１６の長手方向に補強されている。また、支柱５を挿通部３に挿通することによって、挿通部３と覆い部２とを支柱５に沿って延びる筒状とすることができるので、支柱５を挿通部３に挿通するだけで、挿通部３と覆い部２とが、支柱５に筒状に保持される。このため、幼齢木保護具１の部品点数を削減し、現場での組み立てを容易化することができる。さらに、覆い部２に積雪などによる荷重が加えられ、あるいは覆い部２が強風を受けた場合に、覆い部２が過度に変形して幼齢木に接触し、幼齢木が損傷することを抑制することができる。
【００２７】
支柱５が挿通される挿通部３である第２筒状部１６は、一重織によって製織される第１耳部１４の中間部に製織されており、第２筒状部１６の両側は、第２筒状部１６の長手方向に製織される第１耳部１４によって補強されているので、挿通部３が過度に変形して、幼齢木保護具１を装着するとき、挿通部３に支柱５を挿通させにくくなることを防止することができる。
【００２８】
挿通部３は、覆い部２から内方に突出して覆い部２の長手方向に沿って延びるので、支柱５を挿通部３に挿通することによって、挿通部３と覆い部２とが支柱５に沿って延びる筒状とすることができるので、幼齢木保護具１の部品点数を削減し、現場での組み立てを容易化することができる。また、覆い部２に積雪などによる荷重が加えられた場合でも、支柱５が挿通された挿通部３が、挿通部３の長さ方向に圧縮されることを抑制することができる。
【００２９】
挿通部３に挿通された支柱５は、挿通部３に覆われているので、幼齢木４が支柱５に巻き付くことを防止することができる。これによって、幼齢木４が支柱５に巻き付いて、幼齢木４の成長が妨げられることを防止することができる。また、挿通部３は、挿通部３の長手方向の全長に製織された第１耳部１４を介して、覆い部２に連なっているので、該幼齢木４が挿通部３に巻き付くことはできず、幼齢木４が挿通部３に巻き付いて、幼齢木４の成長が妨げられることを防止することができる。
【００３０】
幼齢木保護具１は、樹脂である合成繊維の織物１１によって一体に形成することができので、安価に大量生産することができる。幼齢木保護具１は、軽量であり、積み重ね、あるいはロール状に巻いて、容易に運搬することができ、小さいスペースに保管することができる。
【００３１】
ポリ乳酸繊維である東レ株式会社製の「エコディア」は、８〜１０年程度の耐久性を有しており、幼齢木保護具１が装着された幼齢木４の枝葉が害獣の食害に遭うことを防止することができ、幼齢木４が成長した後は、害獣が樹皮を引き剥がすことを防止することができる。
【００３２】
ポリ乳酸繊維であるエコディアは、生分解性繊維であり、耐久性を有する期間が経過した後、微生物によって、完全に消費され、炭酸ガス、メタン、水、バイオマスなどの自然的副産物に変化するので、幼齢木保護具１が、山林などに放置された場合でも、幼齢木保護具１が自然環境に悪影響を与えることを防止することができる。なお、経糸および緯糸は、生分解性が損なわれることを防止するために、着色しないことが好ましい。
【００３３】
支柱５として、たとえば直径が８ｍｍ、長さが２．１ｍのＦＲＰ(Fiber-Reinforced Plastics)製のものが使用される。幼齢木保護具１の長さは、たとえば１７０ｃｍであり、支柱５は、地面に４０ｃｍ程度打ち込まれる。
【００３４】
ＦＲＰ製の支柱５は、弾性変形する荷重の領域が広く、覆い部２に積もった雪の重み、および強風などによって、曲げ荷重が支柱５に加わった場合に、該曲げ荷重によって支柱５が破断することを抑制することができる。覆い部２に積もった雪が解け、覆い部２が受ける荷重が解除されると、支柱５は、荷重を受ける前の形状に戻る。また、ＦＲＰ製の支柱５は軽量であり、持ち運びに便利である。支柱５は、一体成形されたものに限定されず、たとえば連結可能な複数本の部材によって構成することもできる。
【００３５】
覆い部２の下端部は、幼齢木４が植生された地面６に杭打ちされる。杭７は、細長な竹製の短尺材を用いて作製可能である。杭７の打ち込み方向先端部８は、杭打ちされるときに杭７が地面６から受ける抵抗を低減するために、鋭角に形成されている。杭７の打ち込み方向と垂直な側部９には、杭７に覆い部２を係止する係止部１０が形成されている。係止部１０は、たとえば側部９に形成された溝部である。
【００３６】
幼齢木保護具１は、覆い部２の下端部を地面に固定する杭７を含んでいるので、覆い部２の下端部と、幼齢木４が植生されている地面６との間に隙間がない状態で、覆い部２の下端部を地面６に固定することができる。これによって、幼齢木保護具１が風に煽られて、支柱５から抜け出ることを防止することができる。また、害獣が覆い部２の下端部を捲り上げて、幼齢木保護具１を損壊することを防止することができる。
【００３７】
このように、地面６に植生された幼齢木４に装着される幼齢木保護具１は、幼齢木４を覆う筒状の覆い部２と、覆い部２から内方に突出して覆い部２の長手方向に沿って延びる、支柱５が挿通可能な筒状の挿通部３と、を含むので、支柱５を挿通部３に挿通することによって、挿通部３と覆い部２とが支柱５に沿って延びる筒状とすることができる。これによって、幼齢木保護具１の部品点数を削減し、現場での組み立てを容易化することができる。
【００３８】
また、覆い部２が地面６に植生された幼齢木４を覆った状態で、支柱５を挿通部３に挿通し、該支柱５の下端を地面６に打ち込むだけで、地面６に植生された幼齢木４に幼齢木保護具１を装着することができる。
【００３９】
幼齢木保護具１は、合成繊維の織物１１によって形成されているが、これに限定されるものではない。覆い部２と挿通部３とが樹脂によって一体に成形されても良い。あるいは、挿通部３を覆い部２とは別部品として、たとえば、挿通部３を覆い部２に嵌合する構成とすることもできる。また、幼齢木保護具１の材料として、生分解性を有しているものを使用しているが、生分解性を有していない材料によって形成することもできる。
【００４０】
図５は、本発明の第２実施形態に係る幼齢木保護具２１を幼齢木４に装着した状態を示す斜視図である。図６は、図５に示す幼齢木保護具２１を、切断面線ＶＩ−ＶＩから見た断面図である。第１実施形態の説明と重複する部分については説明を省略し、同一の参照符を用いることとする。本実施形態では、覆い部２の一方側において、覆い部２の内側に突出して覆い部２の長手方向に沿って延びる筒状の第１の挿通部２２に加えて、覆い部２の他方側において、覆い部２の内側に突出して長手方向に沿って延びる筒状の第２の挿通部２３を含んでいる。第１の挿通部２２および第２の挿通部２３には、それぞれ地面６に打ち込まれる支柱２５が挿通されている。
【００４１】
このように、第１の挿通部２２および第２の挿通部２３に、それぞれ支柱２５を挿通して地面６に打ち込むことによって、覆い部２をさらに強固に固定することができる。
【００４２】
図７は、本発明の第３実施形態に係る幼齢木保護具３１を幼齢木４に装着した状態を示す斜視図である。第１実施形態の説明と重複する部分については説明を省略し、同一の参照符を用いることとする。本実施形態では、支柱５が挿通された挿通部３の外側から、留め具２４を用いて、挿通部３を支柱５に留めている。留め具２４は、たとえば、弾性変形可能な断面形状がＣ形の部材である。このような構成であれば、覆い部２の下端部に杭打ちされた杭７が抜けた場合などに、たとえば害獣が覆い部２の下端部を捲り上げた幼齢木保護具１が風に煽られて、支柱５から抜け出ることを防止することができる。
【符号の説明】
【００４３】
１，２１，３１  幼齢木保護具
２  覆い部
３  挿通部
４  幼齢木
５，２５  支柱
６  地面
７  杭
８  先端部
９  側部
１０  係止部
１１  織物
１３  第１筒状部
１４  第１耳部
１５  第２耳部
１６  第２筒状部
１７  経糸
１８  緯糸
２２  第１の挿通部
２３  第２の挿通部
２４  留め具
【図１】
2019208487.tif 000003
【図２】
2019208487.tif 000004
【図３】
2019208487.tif 000005
【図４】
2019208487.tif 000006
【図５】
2019208487.tif 000007
【図６】
2019208487.tif 000008
【図７】
2019208487.tif 000009
【手続補正書】
【提出日】令和1年9月9日(2019.9.9)
【手続補正１】
【補正対象書類名】特許請求の範囲
【補正対象項目名】全文
【補正方法】変更
【補正の内容】
【特許請求の範囲】
【請求項１】
地面に植生された幼齢木に装着される幼齢木保護具であって、
前記幼齢木を覆う筒状の覆い部と、
前記覆い部から内方に突出して前記覆い部の長手方向に沿って延びる、棒状部材が挿通可能な筒状の挿通部と、
前記覆い部の一方側から内方に突出して、前記覆い部の長さ方向に沿って延びる、一重織によって形成された第１耳部と、
前記覆い部の他方側から内方に突出して、前記覆い部の長さ方向に沿って延びる、一重織によって形成された第２耳部と、を含み、
前記挿通部は、前記第１耳部および前記第２耳部の少なくとも一方の中間部に、前記覆い部と平行に形成されており、
前記覆い部および前記挿通部は、二重織によって形成されていることを特徴とする幼齢木保護具。
【請求項２】
前記覆い部および前記挿通部は、樹脂繊維から成ることを特徴とする請求項１に記載の幼齢木保護具。
【請求項３】
前記樹脂繊維は、生分解性繊維を含むことを特徴とする請求項２に記載の幼齢木保護具。
【請求項４】
前記覆い部の下端部を地面に固定する固定部材をさらに含んでいることを特徴とする請求項１〜３のいずれか１項に記載の幼齢木保護具。
【手続補正２】
【補正対象書類名】明細書
【補正対象項目名】０００６
【補正方法】変更
【補正の内容】
【０００６】
本発明は、地面に植生された幼齢木に装着される幼齢木保護具であって、
前記幼齢木を覆う筒状の覆い部と、
前記覆い部から内方に突出して前記覆い部の長手方向に沿って延びる、棒状部材が挿通可能な筒状の挿通部と、
前記覆い部の一方側から内方に、前記覆い部の長さ方向に沿って延びるように、一重織によって形成された第１耳部と、
前記覆い部の他方側から内方に、前記覆い部の長さ方向に沿って延びるように、一重織によって形成された第２耳部と、を含み、
前記挿通部は、前記第１耳部および前記第２耳部の少なくとも一方の中間部に、前記覆い部と平行に形成されており、
前記覆い部および前記挿通部は、二重織によって形成されていることを特徴とする幼齢木保護具である。
【手続補正３】
【補正対象書類名】明細書
【補正対象項目名】００１０
【補正方法】変更
【補正の内容】
【００１０】
本発明によれば、覆い部が地面に植生された幼齢木を覆った状態で、棒状部材を挿通部に挿通し、該棒状部材の下端を地面に打ち込むだけで、地面に植生された幼齢木に幼齢木保護具を装着することができる。また、覆い部および挿通部が、二重織素材から成り、第１耳部および第２耳部が一重織素材から成るので、たとえば覆い部を実現するための第１筒状部と、第１筒状部と平行に織製された挿通部を実現するための第２筒状部とを有する織物を一重織と二重織とを切換えて織製し、第１筒状部を表裏反転することによって、覆い部内に第１耳部および第２耳部が位置する幼齢木保護具を、一体の織物として容易に形成することができ、安価に大量生産することが可能となり、汎用性の高い幼齢木保護具を容易に提供することができる。